(57)【要約】【課題】組立（分解）作業性に優れ、部品点数が少なく構造が簡単な押しボタンスイッチ及び内視鏡の操作ボタンを提供すること。【解決手段】内視鏡の把持操作部外殻の貫通穴に挿入されるガイドシリンダ；把持操作部の内側に位置し、上記ガイドシリンダを該把持操作部に固定する固定環；上記ガイドシリンダに支持された押圧操作部材；及び上記ガイドシリンダ内に支持され、上記押圧操作部材によって操作されるスイッチ本体を収納したスイッチ収納部材；を有する内視鏡の押しボタンスイッチにおいて、上記スイッチ収納部材に一体に、上記固定環の内側に突出し、その先端部に抜け止め突起を有する係止足部を形成し、この係止足部の抜け止め突起を上記固定環に係合させて、上記スイッチ収納部材と固定環を固定したことを特徴とする内視鏡の押しボタンスイッチ。【選択図】図２
2010267390.tif 000002
【特許請求の範囲】
【請求項１】
ボタン支持部材の貫通穴に挿入されるガイドシリンダ；ボタン支持部材の内側に位置し、上記ガイドシリンダを該ボタン支持部材に固定する固定環；上記ガイドシリンダに支持された押圧操作部材；及び上記ガイドシリンダ内に支持され、上記押圧操作部材によって操作されるスイッチ本体を収納したスイッチ収納部材；を有する押しボタンスイッチにおいて、
上記スイッチ収納部材に一体に、上記固定環の内側に突出し、その先端部に抜け止め突起を有する係止足部を形成し、
この係止足部の抜け止め突起を上記固定環に係合させて、上記スイッチ収納部材と固定環を固定したことを特徴とする押しボタンスイッチ。
【請求項２】
請求項１記載の押しボタンスイッチにおいて、
上記スイッチ収納部材の係止足部は、スイッチ収納部材の周方向に間隔をおいて複数形成されている押しボタンスイッチ。
【請求項３】
内視鏡の把持操作部外殻の貫通穴に挿入されるガイドシリンダ；把持操作部の内側に位置し、上記ガイドシリンダを該把持操作部に固定する固定環；上記ガイドシリンダに支持された押圧操作部材；及び上記ガイドシリンダ内に支持され、上記押圧操作部材によって操作されるスイッチ本体を収納したスイッチ収納部材；を有する内視鏡の押しボタンスイッチにおいて、
上記スイッチ収納部材に一体に、上記固定環の内側に突出し、その先端部に抜け止め突起を有する係止足部を形成し、
この係止足部の抜け止め突起を上記固定環に係合させて、上記スイッチ収納部材と固定環を固定したことを特徴とする内視鏡の押しボタンスイッチ。
【請求項４】
請求項３記載の内視鏡の押しボタンスイッチにおいて、
上記スイッチ収納部材の係止足部は、スイッチ収納部材の周方向に間隔をおいて複数形成されている内視鏡の押しボタンスイッチ。
【発明の詳細な説明】
【技術分野】
【０００１】
本発明は、押しボタンスイッチ、特に内視鏡の押しボタンスイッチに関する。
【背景技術】
【０００２】
図４に示すように、従来の内視鏡の押しボタンスイッチ１は、把持操作部２の外殻２ａの貫通穴に挿入されるガイドシリンダ３と、把持操作部２の内側に位置し、ガイドシリンダ３を把持操作部２に固定する固定環４と、ガイドシリンダ３に支持された押圧操作部材５と、ガイドシリンダ３内に支持され、押圧操作部材５によって操作されるスイッチ本体６を収納したスイッチ収納部材７とを有している。そして、ガイドシリンダ３内にスイッチ収納部材７を支持するために（スイッチ収納部材７をガイドシリンダ３から脱落させないために）、ガイドシリンダ３の内周面と螺合する抜止環８を別部材として設けている。
【先行技術文献】
【特許文献】
【０００３】
【特許文献１】特開２００２−１７０４５３号公報
【発明の概要】
【発明が解決しようとする課題】
【０００４】
しかしながら、上記従来の内視鏡の押しボタンスイッチにあっては、ガイドシリンダ３と抜止環８の螺合に特殊な工具（治具）が必要なので、組立（分解）作業性が良くない。また、抜止環８を別部材として設けているので、部品点数が多く構造が複雑である。
【０００５】
本発明は、かかる点に鑑みてなされたものであり、組立（分解）作業性に優れ、部品点数が少なく構造が簡単な押しボタンスイッチ及び内視鏡の押しボタンスイッチを提供することを目的とする。
【課題を解決するための手段】
【０００６】
本発明の押しボタンスイッチは、ボタン支持部材の貫通穴に挿入されるガイドシリンダ；ボタン支持部材の内側に位置し、上記ガイドシリンダを該ボタン支持部材に固定する固定環；上記ガイドシリンダに支持された押圧操作部材；及び上記ガイドシリンダ内に支持され、上記押圧操作部材によって操作されるスイッチ本体を収納したスイッチ収納部材；を有する押しボタンスイッチにおいて、上記スイッチ収納部材に一体に、上記固定環の内側に突出し、その先端部に抜け止め突起を有する係止足部を形成し、この係止足部の抜け止め突起を上記固定環に係合させて、上記スイッチ収納部材と固定環を固定したことを特徴としている。
【０００７】
本発明の内視鏡の押しボタンスイッチは、内視鏡の把持操作部外殻の貫通穴に挿入されるガイドシリンダ；把持操作部の内側に位置し、上記ガイドシリンダを該把持操作部に固定する固定環；上記ガイドシリンダに支持された押圧操作部材；及び上記ガイドシリンダ内に支持され、上記押圧操作部材によって操作されるスイッチ本体を収納したスイッチ収納部材；を有する内視鏡の押しボタンスイッチにおいて、上記スイッチ収納部材に一体に、上記固定環の内側に突出し、その先端部に抜け止め突起を有する係止足部を形成し、この係止足部の抜け止め突起を上記固定環に係合させて、上記スイッチ収納部材と固定環を固定したことを特徴としている。
【発明の効果】
【０００８】
本発明によれば、組立（分解）作業性に優れ、部品点数が少なく構造が簡単な押しボタンスイッチ及び内視鏡の押しボタンスイッチを提供することができる。
【図面の簡単な説明】
【０００９】
【図１】本発明による押しボタンスイッチを設けた内視鏡を側方から見た図である。
【図２】図１の１つの押しボタンスイッチを拡大して示す断面図である。
【図３】本発明によるスイッチ収納部材を示す図である。
【図４】従来の内視鏡の押しボタンスイッチを拡大して示す断面図である。
【発明を実施するための形態】
【００１０】
図１を用いて、本発明の対象とする押しボタンスイッチを設けた電子内視鏡１００の全体構成について説明する。内視鏡１００は、柔軟な挿入部１０と、この挿入部１０の基部に接続された把持操作部１１を有している。挿入部１０の先端部には、図示しない対物レンズ、撮像素子（ＣＣＤ）、処置具チャンネル出口部、照明用の配光レンズ及び吸引ノズル等が配置されている。対物レンズによる体腔内の像は撮像素子によって画像信号に変換され、挿入部１０から把持操作部１１を通ってユニバーサルチューブ１２まで延設された信号伝送ケーブルによって、内視鏡１００本体とは別に設けた画像表示処理装置に送られる。画像表示処理装置では、電子画像をテレビモニタに表示したり、記録媒体に記録することができる。配光レンズには、挿入部１０から把持操作部１１を通ってユニバーサルチューブ１２まで延設されたライトガイドとその先端部に接続される照明装置を介して照明光が与えられる。把持操作部１１には、挿入部１０の先端部の処置具チャンネル出口部に通じる処置具チャンネル入口部１３が設けられている。挿入部１０の先端付近の一部領域は、把持操作部１１に設けた湾曲操作レバー１４、１５の回動操作に応じて湾曲状態を変化させることが可能な湾曲部となっている。把持操作部１１には、挿入部１０の先端部の吸引ノズルから体液等の流体を吸引するための吸引ボタン１６と、同挿入部１０の先端部の対物レンズに送気送水する送気送水ボタン１７が設けられている。
【００１１】
把持操作部１１にはさらに、吸引ボタン１６に隣接して２つの遠隔操作ボタン２０と３０、及びこの遠隔操作ボタン２０と３０とは反対側の面に位置する遠隔操作ボタン４０が設けられている。遠隔操作ボタン２０−４０は、電子画像処理用の制御ボタンであり、その押圧操作によって前述の画像表示処理装置を遠隔操作する。遠隔操作ボタン２０−４０によって行なう遠隔操作とは、例えば、テレビモニタ上の画面を静止（フリーズ）させる操作、測光パターン（平均測光やピーク測光）の切換操作、ビデオや光磁気ディスク等の画像記録媒体に静止画像や動画を記録させる操作である。各ボタン２０−４０は、把持操作部１１を手で把持したときに人差し指と親指で押圧操作可能な位置に配置されている。
【００１２】
図２の断面図を参照して、遠隔操作ボタン２０−４０の詳細を説明する。遠隔操作ボタン２０−４０は共通の内部構造を有しているため、図２では遠隔操作ボタン２０を代表して示し、以下遠隔操作ボタン２０を代表して説明する。
【００１３】
図２に示すように、内視鏡１００の把持操作部１１の外殻１１ａ（ボタン支持部材）には、内部と外部を連通する貫通穴１８が形成されている。この貫通穴１８は途中に段部１８ａが形成されており、この段部１８ａを挟んで把持操作部１１の外面側の開口径が大きく、内面側の開口径が小さくなっている。貫通穴１８にはガイドシリンダ２１が挿脱可能である。ガイドシリンダ２１は、Ｏリング２２を装着する内方フランジ（環状フランジ）２１ａとＯリング２３を装着する外方フランジ（環状フランジ）２１ｂを有しており、ガイドシリンダ２１を貫通穴１８の外部側から内部側に向けて挿入すると、外方フランジ２１ｂが貫通穴１８の段部１８ａに当接して挿入が規制される。この挿入規制時点でガイドシリンダ２１の下端部の外周面に形成した雄ねじ２１ｃが把持操作部１１の内部に突出し、この雄ねじ２１ｃに対して固定環２４に形成した雌ねじ２４ａを螺合させると、ガイドシリンダ２１は把持操作部１１に固定される。
【００１４】
ガイドシリンダ２１内には、スイッチ収納部材２５が支持されている。スイッチ収納部材２５の底壁２５ａの上方には、タクトスイッチ（スイッチ本体）２６を収納する有底筒状部２５ｂが形成されている。タクトスイッチ２６には、該タクトスイッチ２６のスイッチヘッド２６ａに当接した状態で押圧操作部材２７が支持されている。スイッチヘッド２６ａは、タクトスイッチ２６内の弾性スイッチ切片（図示せず）の弾性力によって、押圧操作部材２７と当接する方向に移動付勢されている。押圧操作部材２７は、非導電性かつ非通水性でシリコンゴムやフッ素ゴム等の弾性材料からなる弾性ボタンカバー２８によって覆われている。弾性ボタンカバー２８は、その係合溝２８ａがガイドシリンダ２１の上方フランジ（環状フランジ）２１ｄと係合し、弾性ボタンカバー２８の内側面２８ｂと押圧操作部材２７の外側面２７ａが密着した状態で、ガイドシリンダ２１に固定されている。また、図示していないが、スイッチ収納部材２５の底壁２５ａの下方（タクトスイッチ２６と反対側）には、タクトスイッチ２６と電気的に接続されたリード線が延出されており、このリード線は、把持操作部１１内のスイッチ信号入力回路（図示せず）に接続されている。
【００１５】
スイッチ収納部材２５は、その外周面がガイドシリンダ２１の内周面に当接しており、さらにガイドシリンダ２１の下端部方向に脱落しないように抜け止めされている。この抜け止め構造について、図２及び図３を参照して説明する。
【００１６】
スイッチ収納部材２５には、底壁２５ａの下方（有底筒状部２５ｂと反対側）から固定環２４の内側に突出して、その先端部に抜け止め突起２５ｃを有する係止足部２５ｄが一体に形成されている。本実施形態では、係止足部２５ｄは、スイッチ収納部材２５の周方向に間隔をおいて２つ形成されている。また、係止足部２５ｄは弾性材料からなっているので、係止足部２５ｄが形成された仮想円の縮径方向に弾性変形可能である（図３（Ａ））。したがって、係止足部２５ｄを弾性変形させた状態で固定環２４の内側に挿入していき、やがて係止足部２５ｄの抜け止め突起２５ｃが固定環２４から突出すると、抜け止め突起２５ｃが固定環２４と係合して、スイッチ収納部材２５が固定環２４に固定される。
【００１７】
このように、本実施の形態では、固定環２４に対して係止足部２５ｄを挿通させるだけで、スイッチ収納部材２５を固定環２４に固定して、ガイドシリンダ２１内にスイッチ収納部材２５を支持することができるので、特殊な工具（治具）が必要なく、組立作業性に優れている。また、スイッチの修理交換時には、係止足部２５ｄを弾性変形させることで容易に固定環２４から取り外しが可能なので、分解作業性にも優れている。さらに、スイッチ収納部材２５をガイドシリンダ２１から抜け止めるために別部材としての抜止環を設ける必要がないので、部品点数を少なく、構造を簡単にすることができる。
【００１８】
以上の実施形態では、本発明の押しボタンスイッチを内視鏡の遠隔操作ボタンに適用した場合を例示して説明したが、これ以外のあらゆる押しボタンスイッチについても本発明は適用可能である。
【００１９】
以上の実施形態では、係止足部をスイッチ収納部材の周方向に間隔をおいて２つ形成した場合を例示して説明したが、係止足部は少なくとも２つあればよく、３つ以上としてもよい。
【符号の説明】
【００２０】
１００  電子内視鏡
１０  挿入部
１１  把持操作部
１１ａ  把持操作部外殻（ボタン支持部材）
１２  ユニバーサルチューブ
１３  処置具チャンネル入口部
１４、１５  湾曲操作レバー
１６  吸引ボタン
１７  送気送水ボタン
１８  貫通穴
１８ａ  段部
２０、３０、４０  遠隔操作ボタン
２１  ガイドシリンダ
２１ａ  内方フランジ（環状フランジ）
２１ｂ  外方フランジ（環状フランジ）
２１ｃ  雄ねじ
２１ｄ  上方フランジ（環状フランジ）
２２、２３  Ｏリング
２４  固定環
２４ａ  雌ねじ
２５  スイッチ収納部材
２５ａ  底壁
２５ｂ  有底筒状部
２５ｃ  抜け止め突起
２５ｄ  係止足部
２６  タクトスイッチ（スイッチ本体）
２６ａ  スイッチヘッド
２７  押圧操作部材
２７ａ  外側面
２８  弾性ボタンカバー
２８ａ  係合溝
２８ｂ  内側面
【図１】
2010267390.tif 000003
【図２】
2010267390.tif 000004
【図３】
2010267390.tif 000005
【図４】
2010267390.tif 000006